Podtech/llm-jp-corpus-v4-ja_patent huggingface dataset:
(57)【要約】【課題】  従来育毛剤としては合成成分を使用したものが多い。しかし、合成成分を使用したものは必ずしも人体に使用するには安全でなく、特に頭皮の健康上、余分な油分、化学合成物が悪影響を及ぼす。そこで本発明者は植物含有成分より成る天然成分を用いた育毛剤として優れた効果を有する組成物を発明するに至った。【解決手段】  本発明に用いる植物はハイビスカスの花弁、萼（ガク）の部分を用いる。ハイビスカスの花弁、萼（ガク）は適宜の手段例えばミキサーで粉砕して得られるもの、またはこれをろ過した汁を用いる。これに、水を適宜添加して得られた溶液を育毛剤として用いる。【選択図】  なし【特許請求の範囲】
【請求項１】
ハイビスカスの花弁、萼（ガク）を粉砕したもの、若しくは、ハイビスカスの花弁、萼（ガク）からの抽出物を含有することを特徴とする育毛剤であり、ハイビスカスの花弁、萼（ガク）からの抽出物１〜９５ｗｔ％、酒類等の有機溶媒５〜５０ｗｔ％、水０〜８９ｗｔ％の割合である育毛剤。
【発明の詳細な説明】
【発明の詳細な説明】
【産業上の利用分野】
【０００１】本発明は育毛剤として優れた効果を有する組成物に関する。
【背景技術】
【０００２】  従来育毛剤としては合成成分を使用したものが多い。しかし、合成成分を使用したものは必ずしも人体に使用するには安全でなく、特に頭皮の健康上、余分な油分、化学合成物が悪影響を及ぼす。【０００３】  従来、みかん等の柑橘類を用いた育毛剤があるが、柑橘類を成熟させる過程で大量に農薬散布を行うため、柑橘類を原料とした育毛剤を作る段階で、有効成分と同様に農薬の有害成分も混入することになる。【０００４】  一方、ハイビスカスは、農薬散布の必要がないため、有効成分のみを効率よく抽出できる。また、柑橘類と同様の成分を持つハイビスカスを用いた育毛剤は存在しない。【０００５】そこで本発明者は植物含有成分より成る天然成分を用いた育毛剤として優れた効果を有する組成物を発明するに至った。
【課題を解決するための手段】
【０００６】  本発明に用いる植物はハイビスカスの花弁、萼（ガク）の部分を用いる。ハイビスカスの花弁、萼（ガク）は適宜の手段、例えばミキサーで粉砕して得られるもの、またはこれをろ過した汁、若しくは、ハイビスカスの花弁、萼（ガク）を酒類等のアルコール類に浸漬して得られる抽出物を用いる。
【０００７】  ハイビスカス、萼（ガク）、水等の配合割合は粉砕したそのままで用いる場合は、ハイビスカス、萼（ガク）を粉砕したもの１〜９５ｗｔ％、酒類等の有機溶媒５〜５０ｗｔ％、水０〜８９ｗｔ％が好ましく、最も好ましいのはハイビスカス、萼（ガク）を粉砕したもの３５〜６０ｗｔ％、酒類等の有機溶媒３〜３０ｗｔ％、水２０〜５８ｗｔ％の配合割合である。上記のｗｔ％の数値は植物を採取して後１日以内に用いる場合のものである。植物採取後、長時日放置して用いる場合は、植物は乾燥するから、それに応じて上のｗｔ％の数値は変えなければならない。
【実施例】
【０００８】  ハイビスカス、萼（ガク）を採取後２０℃、湿度４５％の室内に２０時間放置した。そして酒類２００ｃｃにハイビスカス、萼（ガク）２３０グラムを入れ、これらの混合物をミキサーで数分間粉砕した後、晒木綿の布でろ過して汁を得た後、水を適宜加え、本発明の育毛剤を得た。【０００９】上記組成物を育毛剤として用いたところ、ふけ、かゆみ、抜け毛が押さえられ、髪がべたつき感も無くなり、しっとりとしてつやが出てきた。また、張りのある髪質になった。
【発明の効果】
【００１０】本発明の育毛剤は、ふけ、かゆみ、抜け毛を押え、女性にも安心して用いることができ、みかん等の柑橘類を用いた育毛剤よりも安全で、且つ、頭皮の改善に顕著な効果を有する。
(57)【要約】      （修正有）【課題】便秘を治すための、服用しやすくしたヒマシ油製剤を提供する。【解決手段】ヒマシ油（蓖麻子油）を軟カプセルに入れたＣａｓｔｏｒＯｉｌＣａｐｓｕｌｅ即ちヒマシ油カプセル剤。【選択図】なし【特許請求の範囲】
【請求項１】
ヒマシ油（蓖麻子油）を服用しやすくする為に軟カプセルに入れたＣａｓｔｏｒＯｉｌＣａｐｓｕｌｅ即ちヒマシ油カプセル剤。
【発明の詳細な説明】
［明細］
私は、もう１０年以上も便秘に悩まされている。そして２０年近くも痔から出血し続けている。一時は、気になって病院を方々回ってみたが、能く効く薬に恵まれなかった。
そこで、子供時代を思い出してヒマシ油を求めてみた。しかし、電波兵器で以て操作されるので、その効能は昔のままかよく検証できないでいる。
しかし、５日とか１週間とか長い便秘が続く場合には、センナやダイオウのジアントロン配糖体・アントラキノン誘導体の腸粘膜刺激性では頓服性がどうもない。
そこで、そう言う場合には、やはりヒマシ油の不消化のリミノール酸に頼る以外にないように思う。これを子供でも年寄りでも誰もが容易に飲みやすくすることは大切なことである。本発明を発明した所以である。
ところで、便秘には弛緩性と痙攣性があると言う。私の場合はそのどちらなのか自己判断できないで困っている。研究したいのであるが、今の所詳しい本に出会えない。
痙攣性にはロートエキスが好いと言うことが判ったので、若し、痙攣性が発症し、それを識別できるのであれば、これを主剤としたものを特許出願したいと思っている。
尚、「現代新百科事典・６・１６４頁」によると、便秘は、糞便中の水分が減り、固くなり、排便が滞る状態を言う。常習性は、腸粘膜の感受性低下・腸弛緩（アトニー）が原因。治療は、第一に食事で、繊維食だけに頼らないで、良質の脂肪、冷たい飮み物、果物が好い」とある。
(57)【要約】      （修正有）【課題】老化の進行につれ、毛髪がやせ細りやがて脱毛に到る。その脱毛を防ぐための毛髪栄養剤。【解決手段】じゃがいもの目芽。目芽大豆。たけの子。この三っつから搾り取った汁液に、あさり粉末を溶け合わせた。結果その汁液に含有する物質が脱毛を防ぐ毛髪栄養汁液である事を突き止めた。【選択図】なし【特許請求の範囲】
【請求項１】
じゃがいもの発芽目と、発芽大豆をおのおの別々にすりつぶし、しぼり汁液をつくりそれを混合する。いずれも発芽目を使うことを特長とした、脱毛を防ぐ毛髪栄養汁液の製造法。
【請求項２】
たけの子。請求項１の汁液に混合させるたけの子汁液の作り方。
【請求項３】
あさり。請求項１，２の汁液に混合させる粉末あさり。いずれの特長は食材の中のものからの製造方法。
【請求項４】
卵殻から粒子をつくり、洗髪剤のその粒子を混合する。その粒子を特長とした頭皮の脂肪を取り除く洗髪剤の作り方。
【発明の詳細な説明】
【発明の詳細な説明】
［発明の属する技術分野］
【０００１】  この発明は、じゃがいもの発芽目。発芽大豆。たけの子。あさり粉末。から脱毛を防ぐ、毛髪栄養質分汁液のつくり方と、頭皮の脂肪を取り除く洗髪剤の製造法。［従来の技術］
【０００２】  本来毎日の食事摂取から、毛髪に必要な栄養質分が行き届き、健全な毛髪を維持している。が、老化が進むにしたがい毛髪に必要な栄養質分が、行き届かなくなり毛髪がやせて細くなり、脱毛すれば頭皮が露出する。  その細くなった毛穴や、露出頭皮は脂肪に覆われてしまう。そこに従来の栄養剤を降り掛けても、脂肪に邪魔されて毛根に浸透しにくいものである。［発明が解決しようとする課題］
【０００３】  そこで発明者は、頭皮毛穴を埋め尽くしている脂肪を取り除く方法と、老化の進行により、毎日の食事摂取から毛髪に、行き届かなくなったものを補う、脱毛を防ぐ毛髪栄養剤作りの研究を始めた。［課題を解決するための手段］
【０００４】  そのため、じゃがいもの発芽目と発芽大豆と、たけの子からしぼり液を作り、またあさりの粉末をつくり、しぼり汁液に混合した。結果はおのおのに含有している質分が、脱毛を防ぐ汁液である事を突き止めた。  次に卵殻を砕き、すり鉢ですりおろし微粒子を作り、洗髪剤に混合した。その結果洗髪の際、粒子が頭皮を手の平でうまい具合に転がされ、頭皮の脂肪を取り除ける事を突き止めた。［発明の実施の形態］
【０００５】  このように粒子入りの洗髪に依り頭皮の脂肪を取り、毛穴が活性され、本発明の毛髪栄養汁液が毛根にうまく浸透されて、脱毛をくい止めるものになった。尚、本使用材料と同等な質分を含有するものであれば、他の物であってもよい。［実施例］
【０００６】  文献に依ると、皮脂が毛の根本を覆い血行を悪くして、酸素や栄養が不足すると男性ホルモン作用で発毛を抑える物質ができ脱毛する。それを見て植物の発芽目に含有する成長ホルモンが微量で著しい効果がある事を突き止め、そこで逆の発想からこの成長ホルモンが悪玉の男性ホルモン物質を抑える事ができないものかと考えて、実験を繰り返した。  結果、男性ホルモン物質を抑えたかは別として、脱毛を防ぐ栄養汁液が出来上がった。始めに一つのじゃがいもから沢山の目を吹き出す勢いを見て、これだと思った。そこでじゃがいもの発芽目を刈り取り、先ず腐敗を防ぐ予防剤水につけ、  それをねり潰し綿布袋の入れてしぼり出した。この様にして一つの発芽目汁を作り上げた。  参考までに。じゃがいもの含有成分ビタミンＡ、レチノール、カロテン、ビタミンＤ、ビタミンＥ、ビタミンＫ、ビタミンＢ１、ビタミンＢ２、ナイアシン、ビタミンＢ６、ビタミンＢ１２、葉酸パントテン酸、ビタミンＣ、ナトリウム、カリウム、カルシウム、マグネシウム、リン、鉄、亜鉛、銅、マンガン、二つ目に。大豆を水に浸し発芽させ、その大豆ごとじゃがいも発芽目と同様な方法で大豆しぼり汁液を作り上げた。  大豆含有成分大豆タンパク質、大豆ペプチド、食物繊維、大豆オリゴ糖、イソフラボンサポニン、リノール酸、α−リノレン酸、レシチン、ビタミンＥ、ビタミンＫ２カリウム、ポリフェノール類  三つ目に。たけの子の皮をむき小さく切りきざみ、じゃがいもの目芽同様な方法でたけの子汁液をつくり上げた。たけの子含有成分タンパク質、灰分，糖質、繊維、鉄、塩、カルシウム、りん、カロリー四つ目はあさり、これは腐敗となまぐさい臭いを取るために火で焙り、天日乾燥してそれを粉末にした。  その粉末をこし、布に入れて先に出来上がった汁液に浸しとけ合わせた。これは先の三つの含有物質をより一層高めるために、動物質分としてあさり粉末をつけ加えたものである。主な含有物質。アミノエチルスルホン酸。  次に卵殻微粒子の作り方。先ず卵殻を大まかに砕き、それをすり鉢で丹念にこまかに粒子になるまでねり潰し目の細かいふるいにかけて、食塩ぐらいの微粒子を作り上げた。その微粒子を市販の洗髪剤１００ｇに対して微粒子０．５ｇを混合した。  この様にして微粒子入り洗髪剤を作り上げた。いずれも原始的な方法で作り上げたが能率を高めるためには、自動しぼり機、自動粉砕機を使用すれば良い事である。［発明の効果］
【０００７】  洗髪後に本発明の汁液を頭髪にふりかける。洗髪の際にこの粒子が頭皮を手の平で転がされて頭皮を刺激しながら毛穴を埋め尽くしている脂肪を取り除き、血行も良くなり、毛穴も開かれているために、本発明の汁液が充分に毛根に浸透する。それに依って毛根の栄養となって脱毛をくい止めた。と同時にすでに脱毛をしていた所から細々ながらちょろちょろと毛髪の復活も見た。  しかし、この脱毛、発毛効果が医薬的に証明されるものかは、今後の問題に属すべき事で、本題の主眼とすべきところではない。
【図面の簡単な説明】【図１】本発明の正常な毛髪の拡大平面図
【図２】本発明のやせた毛髪の拡大平面図
【図３】本発明の脱毛後の毛穴拡大平面図
【図４】本発明のじゃがいもの発芽目の平面図
【図５】本発明の発芽させた大豆の拡大平面図
【符号の説明】
１は正常な毛髪。２は頭皮。３は毛根。４はやせ細った毛髪。５は毛穴の脂肪。６は脱毛後の脂肪で埋った毛穴。７はじゃがいも。８はじゃがいもの発芽目。９は大豆。１０は大豆の発芽目。
【図１】
2005162723.tif 000002
【図２】
2005162723.tif 000003
【図３】
2005162723.tif 000004
【図４】
2005162723.tif 000005
【図５】
2005162723.tif 000006
(57)【要約】      （修正有）【課題】垂直に昇降するエレベータかごを水平にも移動走行可能とした走行エレベータの提供。【解決手段】昇降路５を垂直方向に走行する昇降専用外かご１，３に水平方向に移動できる乗降者用内かご２，４を設ける事で、エレベーターの上下搬送運動に加えて、水平方向の横搬送機能を持たせたため、従来の単なる昇降設備だけではなく、横方向の走行機能を持った搬送設備となる。【選択図】図５
2005162475.tif 000002
【特許請求の範囲】
【請求項１】
垂直昇降のエレベーターかごを水平走行させる装置。
【請求項２】
母体である昇降専用外かご内に収納し、自走可能な乗降者用内かご、の二重構造。
【請求項３】
かご３面の側壁が無い構造の開放形外かご。
【発明の詳細な説明】
【発明の詳細な説明】
【技術分野】
【０００１】  この発明は垂直に昇降するエレベーターかごを水平方向にも、移動走行させる装置である。
【背景技術】
【０００２】  エレベーターは元来上下昇降の縦の交通機関であって高層建築物には不可欠な設備である。しかし時代の進歩に伴い縦だけの交通機関では未来のニーズの対応を問われそうである。
【発明が解決しようとする課題】
【０００３】  本発明では縦だけの昇降機能に水平方向の横走行の機能を設け、乗降者が上下階のみにとどまらず、希望の横方向の階へ乗り換える事無く、搬送される装置である。
尚横走行機能で出入口正面に向かって、左右方向走行の場合と、前後方向走行の場合の、２種に構造上の違いから敢て区分した。
【課題を解決するための手段】
【０００４】  左右方向走行の場合
（イ）  昇降専用開放形外かご（１）
（ロ）  乗降者用内かご（２）
前後方向走行の場合
（ハ）  昇降専用外かご（３）
（ニ）  乗降者用内かご（４）
【発明を実施するための最良の形態】
【０００５】  本発明の走行エレベーターは、昇降路（５）内にて乗降かごを昇降させる従来型のエレベーターと基本的に昇降装置は同機能であるが、著しく異なる所は、乗降かごに水平方向に横移動のできる自走機能を設けた事である。
その実施の形態は、高層ビルにおいてのエレベーター昇降路に、横移動の可能な走行路（１４）を設ける、複数にても可。エレベーターかごは昇降専用の外かご（１）（３）を母体として、乗降者用内かご（２）（４）をその体内に収納している二重構造のかごである。開放形外かご（１）はその機能上かご側壁３面の無い構造で偏芯荷重等によるバランスを考慮した機構になっている。上下昇降機能は従来のエレベーターと同機能ではあるが、走行路（１４）接続階で指令に従って母体内の乗降者用内かごのみが走行桁（１２）を軌道として自走運行し、昇降路から離脱する。乗降者用内かごの駆動方式はモノレール型の走行機械（１０）で懸垂式電動駆動方式を採用している。しかし駆動方式は敢えて特定しはない。
【発明の効果】
【０００６】  エレベーターは元来ビル等の上下移動の為の機械化された交通機関とされてきて、エレベータの無い高層ビル等は存在しないのである。そのエレベーターに縦方向に加えて横方向にも移動可能な機能を持たせればどうなるだろうか、Ａ棟でエレベーターに乗り隣接するＢ棟へ乗ったそのままの状態での移動が可能になる。又この逆のケースもある。本発明の効果は恐らくビル計画の平面プランを根底から変え、ビル自身が持つ機能も更に多様化される事になり、その応用範囲も無限ものと思われる。又エレベーター自身の機能も多様になる為に従来の単なる昇降機械とは別の応用が期待できる。
【図面の簡単な説明】
【図１】  左右方向  走行  本発明の昇降開放形外かご平面図、昇降路断面図。  昇降開放形外かご正面図、昇降路断面図。  昇降開放形外かご側面図、昇降路断面図。
【図２】  左右方向  走行  本発明の乗降者用内かご平面図、昇降路断面図。乗降者用内かご正面図、走行路断面図、昇降路断面図。  乗降者用内かご側面図、昇降路断面図。
【図３】  前後方向  走行  本発明の昇降外かご平面図、昇降路断面図。  昇降外かご正面図、昇降路断面図。  昇降外かご側面図、昇降路断面図。  昇降外かご断面図
【図４】  前後方向  走行  本発明の乗降者用内かご平面図、昇降路断面図。乗降者用内かご正面図、昇降路断面図。  乗降者用内かご側面図、昇降路断面図、走行路断面図。
【図５】  左右方向  走行  本発明のシュミレーション図
【図６】  前後方向  走行  本発明のシュミレーション図
【図７】  前後方向  走行  本発明のシュミレーション図
【符号の説明】
１        昇降開放形外かご  （左右方向走行）
２        乗降者用内かご  （左右方向走行）
３        昇降外かご  （前後方向走行）
４        乗降者用内かご  （前後方向走行）
５        昇降路
６        主ロープ
７        昇降外かごガイドレール
８        ガイドシュー
９        カウンターウエイト
１０      走行機械
１１      ガイドローラー
１２      走行桁
１３      走行ガイド桁
１４      走行桁
１５      ストッパー
【図１】
2005162475.tif 000003
【図２】
2005162475.tif 000004
【図３】
2005162475.tif 000005
【図５】
2005162475.tif 000006
【図６】
2005162475.tif 000007
【図７】
2005162475.tif 000008
【手続補正書】
【提出日】平成16年2月25日(2004.2.25)
【手続補正１】
【補正対象書類名】図面
【補正対象項目名】全図
【補正方法】変更
【補正の内容】
【図１】
2005162475.tif 000009
【図２】
2005162475.tif 000010
【図３】
2005162475.tif 000011
【図４】
2005162475.tif 000012
【図５】
2005162475.tif 000013
【図６】
2005162475.tif 000014
【図７】
2005162475.tif 000015
(57)【要約】【課題】  従来、開発が行われてきた低融点ガラスのように複雑な原材料を組み合わせることなく無鉛低融点ガラスを製造することを目的とする。また、市販されている鉱物材料を原材料とした無鉛の低融点ガラスはこれまでに無く、これを製造する方法を発明することを目的とする。【解決手段】  本発明は、ニュージーランドカオリン、朝鮮カオリンといったカオリナイトやハイロサイト、若しくは、ソーダ長石等の長石類といった鉱物原料を主原料とし、これに三酸化ホウ素、若しくは、ホウ酸、炭酸ナトリウム、炭酸カリウム、及び、炭酸カルシウ厶のうち、少なくとも１種類を添加し、これを混合、加熱することで低融点ガラスが得られる。【選択図】  なし【特許請求の範囲】
【請求項１】
鉱物原料である市販のカオリナイト、ハイロサイトを主成分とするカオリン類、若しくは、ソーダ長石、カリ長石といった長石類の粉末３８〜７８重量％に対し、三酸化ホウ素、若しくは、ホウ酸０〜６２重量％、炭酸ナトリウム１〜４０重量％、炭酸カリウ厶１〜４０重量％、更に炭酸カルシウム０〜２２重量％のうち、少なくともいずれか１種類を混合して作成したガラスで、粘土の焼結助剤として用いる低融点ガラスの製造法。
【発明の詳細な説明】
【発明の詳細な説明】
【技術分野】
【０００１】本発明は、無鉛低融点ガラスの製造方法及び関するものである。
【従来技術】
【０００２】  低融点ガラスは、従来、鉛含有のガラスが代表的であるが、近年、鉛が環境汚染物質として取り上げられるようになり、無鉛の低融点ガラスへの要求が高まっている。
【０００３】  特許公開２００１−３０２２７９号では、Ｐ２Ｏ５、ＳｎＯ、ＺｎＯ、ＭｇＯ、ＣａＯ、ＳｒＯ、ＢａＯ等を用いた低融点ガラスが提案されている。
【０００４】  特許公開平６−２６３４７８号では、Ｖ２Ｏ５、ＴｅＯ２、ＭｏＯ３、Ｂ２Ｏ３、ＺｎＯ、ＢａＯ、ＴｉＯ２、Ａｌ２Ｏ３、Ｎｂ２Ｏ５、Ｔａ２Ｏ５用いた低融点ガラスの提案がなされている。
【発明が解決しようとする課題】
【０００５】  本発明の技術的課題は、特許公開２００１−３０２２７９号、特許公開平６−２６３４７８号で提案されている低融点ガラスのように複雑な原材料を組み合わせることなく無鉛低融点ガラスを製造することを目的とする。また、市販されている鉱物材料をそのまま原材料とした無鉛の低融点ガラスはこれまでに無く、これを製造する方法を発明することを目的とする。
【課題を解決するための手段】
【０００６】  ニュージーランドカオリン、朝鮮カオリンといったカオリナイトやハイロサイト、若しくは、ソーダ長石等の長石類といった市販の鉱物原料を主原料とし、これに、三酸化ホウ素、若しくは、ホウ酸、炭酸ナトリウム、炭酸カリウム、炭酸カルシウムの少なくとも１種類を添加し、これを混合、溶融することで無鉛低融点ガラスを得ることができた。
【発明を実施するための最良の形態】
【０００７】  以下、本発明の実施の形態を詳述する。
本発明は、鉱物原料である市販のカオリナイト、ハイロサイト、若しくは、長石類の粉末を３８〜７８重量％に対し、三酸化ホウ素、若しくは、ホウ酸０〜６２重量％、炭酸ナトリウ厶１〜４０重量％、炭酸カリウム１〜４０重量％、更に炭酸カルシウム０〜２２重量％のうち、少なくともいずれか１種類を混合する。【０００８】上記組成で得られた粉末材料を坩堝に投入し、過熱すると５００〜６００℃近傍から溶融し始め、８００℃近傍では、十数分〜数十分程度で完全にメルト状態となる。
１０００℃以上では、更に融けがよく、坩堝から流しだすことができる。【０００９】メルト状態になった本発明の低融点ガラスを型に流し込みブロックにするか、或いは急冷してフリットにすることで固体の低融点ガラスが得られる。
【発明の効果】
【００１０】  従来、低融点ガラスは、鉛含有のものが多く、環境汚染物質として鉛フリー化が叫ばれている現在、無鉛の低融点ガラスは、大いに注目されている。一方、従来技術で述べたとおり、無鉛の低融点ガラスは、組成が複雑で、工業的にも製造の難易度が高く、原材料も多数必要であった。
本発明の無鉛低融点ガラスは、一般的に市販されているカオリナイト、ハイロサイト、若しくは、長石類といった鉱物材料を主成分とし、添加する他の薬品も１〜４種類程度と非常に簡素な組成となっている。このため製造する上で安価に原料入手ができ、多数の原材料を入手する手間が省ける他、調合も容易で低融点であることから、短時間、低燃費で低融点ガラスを生成することができる。従来の無鉛低融点ガラスでは、鉱物材料をそのまま利用したものは無く、全く比類無き発明である。
(57)【要約】【課題】シリカの中で充填材として最もすぐれた性能をもつ「球状シリカ」は、高価であるため、多くを使用できない。そこで、加熱処理の条件を変えて、流動性、信頼性等の重要項目を確保しつつ、安価で、しかも、バリ止めにも有利なシリカを提供する。【解決手段】原料シリカの粉末を加熱する時、まずするどく尖った「角（かど）」の先端部が丸くなり、次に真球になり、最後に中心まで熔融（ガラス化）する。現在は最後の熔融迄、完全に加熱して、球状シリカを作っているが、これを「角（かど）」がとれるだけの第一段階で加熱をとめる。【特許請求の範囲】
【請求項１】
原石を粉砕する際に生じた、「角（かど）」を、加熱処理で丸くしたシリカ。
球状シリカの様に、形が真球になる迄充分に、加熱するのではなく、「角（かど）」が丸くなる程度に軽く加熱処理したもので、流動性、信頼性等、重要性能は確保できて、しかも、処理コストが安い事を特徴とするシリカ。
【請求項２】
結晶破砕型シリカで、その「角（かど）」を取り、結晶シリカの特性を保持したまま、流動性を向上、高充填配合にも適用できる「結晶角（かど）なしシリカ」
【請求項３】
熔融破砕型シリカで、その「角（かど）」を取ることによって、球状シリカと混合使用する必要がなく、全量置きかえが可能となる「熔融角（かど）なしシリカ」
【発明の詳細な説明】
【技術分野】
【０００１】本発明は球状シリカを製造する装置を用い、特殊な加熱処理を加えたものである。すなわち、製品シリカを真球にするのではなく、するどい「角（かど）」を加熱熔融するだけにとどめる処理をしたものである。
【背景技術】
【０００２】シリカは所定粒度に粉砕する工程で、無数のとがった「角（かど）」が発生する。この「角（かど）」が、配合物の流動性をはじめとする重要性能の低下の原因となっている。そこで、従来球状シリカの工程は、形状を真球にする事を第一の目標として来た。だから充分に加熱処理されるため、製造コストが高くなる点や、それを充填材に用いた材料の成型時に、バリが多く流出する点など、他の性能に障害が発生していた。
【発明の開示】
【発明が解決しようとする課題】
【０００３】シリカ粉末を充填材として使用する各分野に於いては、球状シリカは、応力の均一分散、高度な流動性、チップダメージが少ない、等、重要性能が向上出来る、優れた材料とされている。しかしコストが高い点、成型時バリが多い点から、使用量に限界があった。
【課題を解決するための手段】
【０００４】球状シリカ製造設備の運転において、原料粉末の粒径、酸素ガスとの混合率を変えて、又吹込圧力を加減して、加熱処理時間を短縮する事により、目標とする形状のシリカを得る。
【発明の効果】
【０００５】「角（かど）」の先端部を丸くするだけの、軽い加熱処理なら、流動性を向上させ、且つ、成型時のバリ流出を抑える事が出来る。
【発明を実施するための最良の形態】
【０００６】本発明は、熔融破砕型シリカを原料とすれば、コストの面からやむを得ず球状シリカと熔融破砕型シリカを混合使用している処方において、全て「角（かど）」のないシリカに置きかえる事が可能になる。【０００７】本発明は、結晶シリカを原料とすれば、結晶シリカの優れた特性をもったまま、流動性を向上させ、特殊レジンとの組み合わせ使用をする必要がなくなる。【０００８】粉砕、加熱処理が、より容易に出来るシリカ（印度、スリランカ産以外）を、原料とすれば、処理コストが更に軽減出来る。
(57)【要約】      （修正有）【課題】たとえ側に水が無くても簡単にいつでも、何処でも車の洗車を可能にした洗車器を提供する。【解決手段】ビニールの水タンク２に水を入れたことによりいつでも、何処でも大量の水を使わず超少量の水で汚く汚れた車をきれいにする、例えば水道がなくても川の水、池の水淡水であればどんな水でも使う事ができ限りある資源の保護にもつながる優れた洗車器。【選択図】図１
2005162181.tif 000002
【特許請求の範囲】
【請求項１】
現在市販されている所の厚手のビニールで出来ている非常用又はキャンプ等で使われている水を入れる容器を用い容器自体も更に持ちやすく容器上部の両側にまたがる容器を持つ為のバンドを新たに設け更に入れた水を出す為のプラスチック製の調整レバー付又はコック付のいずれも調整可能な５リットル〜２０リットルの容器を用いこの容器に内径０〜２０ミリのゴム又はビニール等のパイプ（水を入れても硬くならない材質なら全て）でビニール容器から洗車ブラシに接続この時のビニールパイプの長さは０〜２０メートルとしこの０〜２０メートルの両先端にある程度の太さに対応出来る装置を設置しビニール容器から洗車ブラシをつなぎ水を流し車の汚れ（ほこり、砂、泥）を洗い落とし、しかも洗車の時の水の量はほんの少量ですみ更にドライブ先仕事先旅行先とあらゆる仕事からレジャーのちょっとした時間にいつでも何処でも直ぐに洗車が出きる何処でも洗車器。
【発明の詳細な説明】
【発明の詳細な説明】
【技術分野】
【０００１】本発明は車の洗車時に少量の水でいつでも何処でも洗車が出来る装置に関するものである。
【背景技術】
【０００２】現在車の洗車はガソリンスタンド、洗車場、あと自分の家の前で洗うしか方法がないのである、それは基本的に水道がある所でなければ洗車が出来ない。
【発明が解決しょうとする課題】
【０００３】従来の車の洗車はすぐ側に水道がなければ車の洗車が出来なかった、それと大量の水を使った又水の無い所では一切車を洗う事は出来なかったこの問題を解決し、たとえ側に水が無くても簡単にいつでも、何処でも車の洗車を可能にしたことが本発明の目的である。
【課題を解決するための手段】
【０００４】ビニール水タンクの水栓付に水を入れこれを細いビニールのパイプで洗車ブラシと接続することで今まで出来なかった事が可能になる、例えばレジャーで出かけた時仕事で出かけた時ドライブで出かけた時あらゆる事で出かけた時に時間があれば自分の愛車をほこりまみれ、泥まみれで走らなくてもいつでも何処でもぴかぴかきれいにして走る事が出来る画期的な洗車用具である、又出かけた先にたとえ水道が無くても水の流れる川はあるはず公衆トイレもあるはず、出かけた先に必ず水道は無くても水は有ります水さえ有ればいつでも、何処でも超少量の水でぴかぴかきれいになると言う最も優れた洗車装置である。
【発明を実施するための最良の形態】
【０００５】以下、図面に示す実施例に従って実施形態を説明する。
第１図に本発明の一実施例を示すが、水を入れるタンク本体をビニールにした事で車の屋根の部分又はボンネットに乗せてもキズがつかず洗車ができ更に使う水の量は超少量で良い、昨今何かとエコとかショウエネとか騒がれてるが水もまた限りある大切な資源の一つだと思う一滴の水も大切にする最も優れた洗車器である。
【発明の効果】
【０００６】水をビニールのタンクに入れたことで車の屋根にもキズもつかず又タンクからブラシの接続パイプを極端に細くした事で洗車に使う水の量が超少量で済み低コストで経済的効果もある、ただ水の勢いを押さえたのでどうしても水がブラシを伝って手元にたれて手元が濡れるこれを解決したたれ水防止装置をブラシの根元に設置した。
【図面の簡単な説明】
【図１】装置全体の斜視図と部分図
【符号の説明】
１    自動車の全体図          ２    ビニールタンク本体
３    持ち上げる為のバンド          ４    調整の為の水栓
５    ビニールパイプ（本体とブラシの接続）    ６    洗車ブラシ
７    洗車ブラシ垂れ水防止装置
【図１】
2005162181.tif 000003
(57)【要約】【目的】自動二輪に於いて、足先の最小限の動作でシフトチェンジをスムーズに行う事と、靴に汚れ、傷が、付きにくくなるを目的とする。【構成】足の甲の上にペダル、足裏の下にペダルの２本で構成し、足先を挟む構造とた。又、ペダルとペダルの間隔が調整できる構成にした。【選択図】    図１
2005162184.tif 000002
【特許請求の範囲】
【請求項１】
足の甲の上にペダル【ａ】、足裏の下にペダル【ｂ】の２本で足先を挟む構造とし、
シフトアップはペダル【ａ】、シフトダウンはペダル【ｂ】で行う、
足先挟み型シフトチェンジペダル。
【請求項２】
ペダル【ａ】とペダル【ｂ】の間隔【ｈ】が調整できる、請求項１の足先挟み型シフトチェンジペダル。
【発明の詳細な説明】
【技術分野】
【００１】本発明は、ペダル【ａ】とペダル【ｂ】で足先を挟む構造としたものであり、
自動二輪に於いて、シフトチェンジをスムーズに行う事が出来る。
間隔【ｈ】の調整の実施例として、【ｃ】のラチェット（歯型形状）でペダル【ａ】とペダル【ｂ】の間隔【ｈ】を調整する。又は、アーム【ｄ】が軸【ｆ】を基点に回転しピン【ｇ】が複数の穴【ｅ】のいずれかに入りペダル【ａ】とペダル【ｂ】の間隔【ｈ】を調整する。これはほんの一例である。
【背景技術】
【００２】従来のシフトチェンジペダルは、一本のみで構成されており、シフトアップからシフトダウン、シフトダウンからシフトアップと切り替える度に、【図５】【図６】のように足先をシフトチェンジペダルの上、下に移動させ、シフトチェンジしていた。
この動作は渋滞の時には煩わしいものである。又、一本のペダルを足の甲、足裏でシフトチェンジする為、靴に汚れ、傷が付きやすい。
【考案が解決しようとする課題】
【００３】本発明は、足先をシフトチェンジペダルの上、下に移動させることなく、足先の最小限の動作でシフトチェンジすることが可能となった。【図４】
又、シフトアップはペダル【ａ】、シフトダウンはペダル【ｂ】で行う為、
靴に汚れ、傷が、付きにくい。
【考案の効果】
【００４】本発明の足先挟み型シフトチェンジペダルを装着することによって、足先の最小限の動作でシフトチェンジすることが可能となる。よって、快適な運転をすることが出来る。
又、靴に汚れ、傷が、付きにくい。
【図面の簡単な説明】
【図１】本発明の斜視図
【図２】【ｃ】のラチェット（歯型形状）、側面図
【図３】本発明の間隔【ｈ】の調整の実施例、斜視図
【図４】本発明の使用図
【図５】従来の技術（シフトダウン）
【図６】従来の技術（シフトアップ）
【符号の説明】
ａ  ペダル
ｂ  ペダル
ｃ  ラチェット形状（歯型形状）
ｄ  アーム
ｅ  穴
ｆ  回転中心軸
ｇ  ピン
ｈ  間隔
【図１】
2005162184.tif 000003
【図２】
2005162184.tif 000004
【図３】
2005162184.tif 000005
【図４】
2005162184.tif 000006
【図５】
2005162184.tif 000007
【図６】
2005162184.tif 000008
(57)【要約】【課題】  自転車用のライトは、前方を照らすだけでなく、周囲に存在を知らせる為に必要である。  従来のライトは、アタッチメントにより、ハンドルバーのグリップの内側に取り付けられていた。従って、ハンドルの前方にかごやハンドルバッグ等があると、その荷物にライト光が遮られてしまった。  ライトアタッチメントなどにより、ライトの設置場所を上げて取り付けられる例もあるが、簡単に外されてしまい、盗難にあう恐れがあった。  又、近年は、ベル、サイクルコンピュータ等他のアクセサリーによってハンドルバー上の装着スペースが少なくなってきている。【解決手段】  上記課題を解決するために、本発明は、自転車ハンドル用のバーエンドにライトを取り付けたものである。【選択図】  図１
2005162183.tif 000002
【特許請求の範囲】
【請求項１】
自転車ハンドル用のバーエンドにライトを付けたもの。
【発明の詳細な説明】
【発明の詳細な説明】
【発明が解決しようとする課題】
自転車用のライトは、前方を照らすだけでなく、周囲に存在を知らせる為に必要である。
従来のライトは、アタッチメントにより、ハンドルバーのグリップの内側に取り付けられていた。従って、ハンドルの前方にかごやハンドルバッグ等があると、その荷物にライト光が遮られてしまった。
ライトアタッチメントなどにより、ライトの設置場所を上げて取り付けられる例もあるが、簡単に外されてしまい、盗難にあう恐れがあった。
又、近年は、ベル、サイクルコンピュータ等他のアクセサリーによってハンドルバー上の装着スペースが少なくなってきている。
【課題を解決するための手段】
上記課題を解決するために、本発明は、自転車ハンドル用のバーエンドにライトを取り付けたものである。
本来バーエンドは登板時や疲労のため、握り位置を変えてポジションを変更するために取り付けるものであるが、バーエンドにライトを取り付けることによって、ハンドルグリップの両端にライトがあるため、前方のかごや荷物に隠されることがない。
また、ライトが自転車の最大幅に等しくなるので被視認性が高くなり安全性が高まる。
ネジ等で固定することにより、簡単に外せなくなるので、盗難の恐れが少なくなる。
バーエンド自体が発光するので、ハンドルバー上のアクセサリーの装着スペースを侵さなくなる。
【発明を実施するための最良の形態】  発明の実施の形態を実施例に基づき図面を参照して説明する。
図１において取り付け例を自転車の上面から見た図である。
１は、ハンドルに取り付けられたバーエンド本体である。バーエンドの前方２にライトを取り付ける。
【発明の効果】
本発明は、以上説明したように構成されているので、下記に記載されるような効果を奏する。
ハンドルグリップの両端にライトがあるため、前方の荷物に隠されることがない。  ライトが自転車の最大幅に等しくなるので被視認性が高くなる。ネジ等で固定することにより、簡単に外せなくなるので、盗難の恐れが少なくなる。
バーエンド自体が発光するので、ハンドルバー上のアクセサリーの装着スペースを侵さなくなる。
【図面の簡単な説明】
【図１】ライト付バーエンドの上面図である。
【符号の説明】
１、ライト付バーエンド本体
２、ライト
３  ハンドル
【図１】
2005162183.tif 000003
(57)【要約】【課題】  車の運転中、携帯電話機を手に持たず使用できることを目的とした、携帯電話機ホルダーを提供する。【解決の手段】  携帯電話機を装着したり又、抜き取ることが出来るように、合成樹脂板で形成加工した携帯電話機ホルダー（１）と、形成加工した携帯電話機ホルダーの裏面中央部に、吸盤（２）を取り付けた携帯電話機ホルダー。【選択図】  図１
2005162178.tif 000002
【特許請求の範囲】
【請求項１】
携帯電話機を装着したり、又抜き取ることが出来るように合成樹脂板で形成加工した携帯電話機ホルダー（１）と、形成加工した携帯電話機ホルダーの裏面中央部に、吸盤の内側よりカシメ釘を挿通し、リンプを介してカシメ固定した吸盤（２）を取り付けた携帯電話機ホルダー。
【発明の詳細な説明】
【発明の詳細な説明】
【技術分野】
【０００１】  この発明は、携帯電話機ホルダーを車の運転席側ドアの窓ガラスに吸盤で取り付け電話機を装着したり抜き取ったり出来るようにした携帯電話機ホルダーに関するものである。
【背景技術】
【０００２】  従来より携帯電話機は、車の運転中においても使用されていたが、その多くは電話機をバックの中か、運転席周辺に置いていた。又使用時は車を運転しながら電話機を探し、片手に持って受送信する為、運転の危険度は高かった。
【発明が解決しようとする課題】
【０００３】これは次のような欠点があった。
イ．携帯電話機を携帯するのに、バックの中に入れていることにより運転中呼出しベルで  バックから探し取り出すのに手間が掛かった。
ロ．運転しながら送信するのに片手で電話機を持ってその手で相手方の番号を操作するので注意が散漫になるという欠点があった。
ハ．運転中の携帯電話機の使用は片手を必要とするので危険であった。
本発明は以上の欠点を解決する為になされたものである。
【課題を解決するための手段】
【０００４】  携帯電話機を装着したり抜き取ったり出来るよう、合成樹脂板で形成加工した携帯電話機ホルダー（１）と、形成加工したホルダーの裏面中央部に吸盤（２）を取り付けた。      本発明は以上の構成よりなる携帯電話機ホルダーである。
【発明を実施するための最良の形態】
【０００５】  携帯電話機ホルダーは、車の運転席側ドアの窓ガラスに吸着設置し、電話機を装着して電話を受信したときは運転しながら電話機に、耳・口を近づけ応答できる。又送信の際は携帯電話機のホルダーを前面ガラス面に吸着移動し、相手のナンバーボタンを押した後、運転席側窓ガラスに戻して電話機に、耳・口を近づけて応答する。又電話機ホルダーを窓に吸着設置することにより従来のように電話機を探す手間がいらなくなった
【発明の効果】
【０００６】  この発明は、車の運転中の受送信のための事故を出来るだけ無くすために考案したものである。昨今、携帯電話機は必要不可欠のものとして使われている。運転中でも相手からコールがあれば必ず応対に出るのが普通であり、又仕事上の伝達であれば尚更である。携帯電話による事故を少なくするため、電話機ホルダーをあらかじめ運転席側ドアの窓ガラスに吸着設置、電話機を装着することで、コールがあれば耳・口を電話機を近づけて応答でき、目や手は運転に集中が出来、車による事故を少なくすることが出来る。
【図面の簡単な説明】
【図１】本発明の上面からの見取図
【図２】本発明の正面見取図
【図３】本発明の使用状態を示す見取図
【符号の説明】
１．携帯電話機ホルダー
２．吸盤
【図１】
2005162178.tif 000003
【図２】
2005162178.tif 000004
【図３】
2005162178.tif 000005
(57)【要約】【課題】  射出成形時の溶融樹脂の流動圧力により金属インサート表面に塗布した接着剤が押し流されるのを防止し、その後成形時の溶融樹脂の熱により金属インサートと樹脂が接着し、離型時に金属と樹脂界面の剥がれを防止することである。【解決手段】  金属インサートと樹脂を接着させるため、金属インサートに塗布したエポキシ基材に加えた常温用硬化剤と潜在性硬化剤の２種類の硬化剤により、前者の働きで常温にて半硬化させ、射出成形時の溶融樹脂の流動圧力での接着剤が押し流されるのを防止し、射出成形時の溶融樹脂の熱により後者を働かせ、樹脂と金属インサートを接着し、樹脂が金型から離型する際の、樹脂と金属界面の剥がれを防止する。【選択図】  図２
2005162998.tif 000002
【特許請求の範囲】
【請求項１】
主剤としてＢＰＡ型またはＢＰＦ型エポキシ樹脂、さらにそれらをウレタン変成、ゴム変成したものを、常温用硬化剤としてポリアミドポリアミンまたは変成脂肪族ポリアミンを、潜在性硬化剤としてＤＩＣＹまたはイミダゾール系潜在性硬化剤、さらにそれらを変成したものを、以下の比率でそれぞれ混合した接着剤
エポキシ基／常温用硬化剤の活性水素の当量比を１／０．２〜１／０．５
エポキシ基／潜在性硬化剤の当量比を      １／０．８〜１／０．２５
【発明の詳細な説明】
【技術分野】
【０００１】  本発明は、射出成形時に、熱可塑性樹脂と金属インサートを、金型内で溶融樹脂の熱を利用して硬化接着するための接着剤に関する。
【背景技術】
【０００２】  現在、熱可塑性樹脂の金属インサートは、樹脂と金属が接着しないため、周囲にセレーション等の加工等を施し、抜け止め、回り止めとして、物理的な接合機能を持たせている。【０００４】  また、樹脂が外周囲を包んでいるベアリングローラー等は、ベアリングのアウターレースの周囲を樹脂が覆うようにして、樹脂部がベアリングからはずれないようにしている。【０００５】  一方、金型内金属インサートと樹脂接着とのため、種々の接着剤やプライマーが試みられてきたが、射出成形時の樹脂の流動圧力で事前に塗布した接着剤が押し流される、樹脂固化後の金型からの離型の際に、樹脂と金属間に剥離が生ずる等、実用化に至っていない。
【発明の開示】
【発明が解決しようとする課題】
【０００６】  金属インサートと樹脂を接着させるため、射出成形時の溶融樹脂の流動圧力で塗布した接着剤の押し流しを防止し、成形中に溶融樹脂の熱により金属インサートと樹脂を接着させ、離型時の金属と樹脂間の剥がれを防止することである。
【課題を解決させるための手段】
【０００７】  本発明は、金属インサートと樹脂を接着させるため、金属インサートに塗布したエポキシ基材に加えた常温用硬化剤と潜在性硬化剤の２種類の硬化剤により、前者の働きで常温にて半硬化させ、射出成形時の溶融樹脂の流動圧力での接着剤の押し流しを防止し、射出成形時の溶融樹脂の熱により後者を働かせ、樹脂と金属インサートを接着し、樹脂が金型から離型する際の、樹脂と金属間の剥がれを防止する。
【０００８】  ただし、常温硬化剤に関しては、潜在性硬化剤が働く温度より低く、且つ常温を超える高温下でその働きを活性化させることにより固化を早め、半硬化の状態にしても良い。
【０００９】  また、潜在性硬化剤による接着も、離型時に樹脂と金属インサート間に剥離が無ければ、完全である必要はなく、離型後恒温槽等でキュアリングしても良い。
【発明を実施するための最良の形態】
【００１０】  エポキシ基に対する、常温用硬化剤の沽性水素比および潜在性硬化剤の比は以下の通りとする。
エポキシ基／常温用硬化剤の活性水素比を１／０．２〜１／０．５
エポキシ基／潜在性硬化剤の比を      １／０．８〜１／０．２５【００１１】  成形に使用する熱可塑性樹脂は、エポギシ接着剤および変性エポギシ接着剤と十分な接着強度があるウレタン、ポリアミド、ＡＢＳ、アクリル、スチレン及びそれらをベースにしたアロイやガラス等の強化タイプが適するが、十分な接着強度が得られる熱可塑性樹脂ならば、この限りではない。【００１２】  上記熱可塑性樹脂には、必要に応じ染料または顔料および各種添加剤、例えば老化防止剤、酸化防止剤、光安定剤、核剤、紫外線吸収剤、離型剤等を含むこともある。【００１３】  潜在性硬化剤の反応温度は、１００℃以上とし、常温時での反応の防止を図る。
【実施例】
【００１４】  以下、実施例を挙げて本発明を更に具体的に説明するが、本発明は、その要旨を超えない限り、これらの実施例に何ら制約されるものではない。【００１５】  図１に引張り試験用ＩＳＯダンベルは、金属インサート１として炭素鋼を用い、金属インサート１の接続部２には以下の接着材を成形６時間前に塗布し、ダンベルの残り半分の部分、樹脂３を射出成形により熱可塑性ポリウレタンで成形したものである。
エポキシ基／常温用硬化剤の活性水素の当量比を１／０．５
エポキシ基／潜在性硬化剤の当量比を      １／０．５【００１６】  このダンベルを用い引張り試験を実施した結果を図２に示す。【００１７】  全てのサンプルに関して、十分な強度が確保されていることが確認された。
【図面の簡単な説明】
【００１８】
【図１】ＩＳＯ（１０×４ｍｍ断面）引張り試験用ダンベルの図
【図２】引張り試験結果
【図１】
2005162998.tif 000003
【図２】
2005162998.tif 000004
(57)【要約】【課題】今までの対策方法は、車全体にシートや布を覆っ たり、車のエンジンヒーターなどで解かさなくてはならなかったため時間がかなり面倒であった。しかし、この凍結防止ヒーターは車内から簡単に取付け、取外し出来次に乗る時の不便さがなくなる。【解決手段】車内から取付け  取外しが簡単に出来る様にするため吸盤（４）をガラスに取付けるスイッチ（５）を入れることにより銅板（３）が熱を帯び、ガラスに覆う霜  雪    凍結を防ぐ（解かす）【選択図】図１
2005162071.tif 000002
【特許請求の範囲】
【請求項１】
電池により熱を発生させる凍結防止ヒーターを車のガラスなどに取付け(取外し)が出来るようにした。
【発明の詳細な説明】
【技術分野】
【０００１】
本発明は、電池の熱を利用した凍結防止ヒーターに関するものである。
【背景技術】
【０００２】
本発明は、電池による熱を利用し車のガラスにヒーターを取付け  霜  雪  凍結を防ぐようにしたものである。
【発明の開示】
【発明が解決しようとする課題】
【０００３】
解決しようとする問題点は、車のガラスに  霜  雪  凍結が覆ってしまう点である。
【課題を解決するための手段】
【０００４】
本発明は、電池の熱で、霜  雪  凍結を解かす最も主要な特徴とする。
【発明の効果】
【０００５】
本発明を取付けることにより無駄な作業をすることなくスイッチを入れておくだけで  霜  雪  凍結を防ぐことが可能になった。
【発明を実施するための最良の形態】
【０００６】
熱伝統率のいい銅を用いる厚みを最小限にし最小の分品数で実現した。
【実施例１】
【０００７】
本発明は、電池を利用し熱を発生させる凍結防止ヒーターである。これを図１で、説明するとリード線（１）を電池（２）とスイッチ（５）につなぎスイッチを入れることにより熱が発生する。これを熱伝統率のいい銅板（３）につなぎ銅板全体に熱が行き渡る装置である。
【図面の簡単な説明】
【０００８】
【図１】凍結防止ヒーター実施方法を示した説明図である。（実施例１）
【符号の説明】
【０００９】
１    リード線
２    電池
３    銅板
４    吸盤
５    スイッチ
【図１】
2005162071.tif 000003
(57)【要約】【課題】コードなし、電池なし（バッテリレス）で装着者の排尿を報知する尿センサを提供すること。【解決手段】熱電素子６と送信機７からなる尿センサ４を構成する。熱電素子６の低温側に送信機７を取り付けた後、尿センサ４全体を熱電素子６の高温側を内側（人体に向く側）にして下着５に取り付ける。この状態において、尿もれがおきると、熱電素子６の高温側が尿（約３７度）に触れ、体表面温度（約３０度）以下になっていた熱電素子６の低温側よりも高温となり、その温度差によって、尿がもれた時だけ、熱電素子６は電力を発生する。送信機７はその電力によって電波を放射する。その電波は親機によって検知され、これによって、尿がもれたことが親機に報知される。【選択図】    図１
2005018198.tif 000002
【特許請求の範囲】
【請求項１】
排泄された尿の温度が人体表面温度よりも高いことに起因する温度差によって電力を発生する熱電素子と、該電力によって電波を放射する送信機とを具備することを特徴とする尿センサ。
【発明の詳細な説明】
【０００１】
【発明の属する技術分野】
本発明は尿センサに関し、特に、装着者の排尿を検知し報知する尿センサに関する。
【０００２】
【従来の技術】
【非特許文献１】「ホームページ  ｈｔｔｐ：／／ｗｗｗ．ｍｅｄｉｓｅｎｓ．ｃｏ．ｊｐ／ｓｕｂ１ ２ａ．ｈｔｍ  介護福祉機器「かいてき君」」
育児、老人介護等において、排尿を検知して報知する機器が要望され、その要望に応えるための機器が開発されている。
【０００３】
上記非特許文献１には、尿もれを検出する従来の尿検出モニターの一例が記載されている。その主要構成を図２に示す。この尿検出モニターは、センサ１、コード２、および、電池駆動の検出器３からなる。本システムは、尿もれがあった場合に、センサ１のインピーダンスの変化を検出器３が検出して警報等を発するものである。
【０００４】
【発明が解決しようとする課題】
上記の尿検出モニターにおいては、センサ１と検出器３とがコード２で繋がれているため、被験者の行動が制限され、また、電池駆動であるため電池の交換が必要であった。
【０００５】
本発明は上記の点に鑑みてなされたものであり、本発明の目的は、コードなし、電池なし（バッテリレス）で装着者の排尿を報知する尿センサを提供することにある。
【０００６】
【課題を解決するための手段】
上記目的を達成するために、本発明においては、請求項１に記載のように、
排泄された尿の温度が人体表面温度よりも高いことに起因する温度差によって電力を発生する熱電素子と、該電力によって電波を放射する送信機とを具備することを特徴とする尿センサを構成する。
【０００７】
【発明の実施の形態】
本発明に係る尿センサは、尿の熱エネルギーを利用して、コードなし、バッテリレスで、排尿を無線で報知することを特徴とし、コードおよび電池を用いる従来の尿検出モニターシステムと大いに異なる。
【０００８】
（実施の形態例）
図１は本発明の実施の形態例を説明する図である。図１の（ａ）は本発明に係る尿センサ４の構成を示し、（ｂ）は尿センサ４を下着５に装着した状態を示している。
【０００９】
図１の（ａ）に示したように、尿センサ４は熱電素子６と送信機７とからなる。熱電素子６の低温側（図１の（ａ）において上側）に送信機７を取り付けた後、尿センサ４全体を、熱電素子６の高温側（図１の（ａ）において下側）を内側（人体に向く側）にして、（ｂ）に示したように、下着５に装着する。装着は下着の外側にしてもよいし、内側にしてもよい。装着部位は、排泄された尿と熱電素子６の高温側とが接触しやすいように選ぶ。特に、女性用としては、生理用品のようにして装着してもよい。
【００１０】
上記の状態において、尿もれがおきると、熱電素子６の高温側が排泄された尿（約３７度）に触れ、人体表面温度（約３０度）以下になっていた熱電素子６の低温側よりも高温となり、その温度差、すなわち、排泄された尿の温度が人体表面温度よりも高いことに起因する温度差によって、尿がもれた時だけ、熱電素子６は電力を発生する。送信機７はその電力によって電波を放射する。その電波は親機によって検知され、これによって、尿がもれたことが親機に報知される。
【００１１】
熱電素子６としては、ビスマステルル化合物を主成分として構成される熱電変換素子の複数個を直列に接続してなるサーモパイルが有用であり、送信機７としては、１ｍＷ級の電力で１０ｍ程度の距離を送信可能な３００ＭＨｚ帯の無線機が有用である。
【００１２】
以上説明したように、本発明に係る尿センサは、体温（約３７度）に近い尿の温度が人体表面温度（約３０度）よりも高いことに起因する温度差を用いて、尿がもれた時だけ熱電素子で発電して、その電力によって、送信機で親機に尿もれ情報を送れるので、コードレス（コードなし）化とバッテリレス化とが可能となる。
【００１３】
【発明の効果】
本発明の実施によって、コードなし、電池なし（バッテリレス）で装着者の排尿を報知する尿センサを提供することが可能となる。
【図面の簡単な説明】
【図１】本発明の実施の形態例を説明する図である。
【図２】従来の尿検出モニターの主要構成を説明する図である。
【符号の説明】
１…センサ、２…コード、３…検出器、４…尿センサ、５…下着、６…熱電素子、７…送信機。
【図１】
2005018198.tif 000003
【図２】
2005018198.tif 000004